(57)【特許請求の範囲】
【請求項１】
先端開口部に拡径された地中埋設管を構成する外側管用のガイド部を形成するとともに、基端側に位置決め機構を設けた円筒状のスリーブ主体内に、前記外側管内に収容された複数の内側管をそれぞれ係合保持するためのスリーブガイドを設けた施工用スリーブを使用するものであって、
前記各内側管は、その先端部を、前記スリーブガイドを貫通させて他端側に引き出し、
引き出した各内側管の先端部にストッパリングを装着したのち、
各内側管をスリーブガイド内に引き戻し、
前記ストッパリングをスリーブ主体に設けられたスリーブガイド保持部又はスリーブガイド自体に形成した位置決め機構に当接させ、スリーブガイドの他端側に所要の幅の空間部を形成し、
前記外側管は、先端部近傍の外周部にシール材を外装させたのち、スリーブ主体内に挿入させ、その先端部をスリーブ主体に形成した位置決め機構に当接させたのち位置調整を行い、
前記空間部には、先端部近傍の外周部にシール材を装着したケーブル保護管を挿入固定すること
を特徴とする地中埋設管の施工法。
【請求項２】
前記空間部へのケーブル保護管の挿入は、
前記空間部が形成されたスリーブガイドの開口部に、ケーブル保護管を挿入するためのガイド部材を装着し、しかるのち、先端部近傍の外周部にシール材を装着したケーブル保護管を挿入すること
を特徴とする請求項１に記載の地中埋設管の施工法。
【請求項３】
前記地中埋設管を構成する外側管及び内側管は、
いずれも合成樹脂製であって、その外周部に螺旋状又は環状の凸部を有する波型管であること
を特徴とする請求項１に記載の地中埋設管の施工法。
【請求項４】
前記内側管は、
その先端部を、前記スリーブガイドに挿通させる前、又は挿通させて他端側に引き出した後に、先端部近傍の外周部にシール材を装着すること
を特徴とする請求項１又は３に記載の地中埋設管の施工法。
【請求項５】
前記スリーブ主体は、
その内周部に配置するスリーブガイドを一体的に形成したもので、スリーブガイドの基端側には、その一部を縮径させて形成した段差、又はその内周面に形成されたリング状の突条部からなる位置決め機構を有し、他端開口部を外側に拡径させたものであること
を特徴とする請求項１に記載の地中埋設管の施工法。
【請求項６】
前記ストッパリングは、
合成樹脂又は金属製で、側面視Ｃ字状であること
を特徴とする請求項１に記載の地中埋設管の施工法。
【請求項７】
前記シール材は、
外周面を異形としたゴムリング、又はゴムもしくは合成樹脂製のＯリングであること
を特徴とする請求項１に記載の地中埋設管の施工法。
【請求項８】
前記ケーブル保護管は、
前記内側管と同質もしくは異質のものであること
を特徴とする請求項１に記載の地中埋設管の施工法。
【請求項９】
円筒状のスリーブ主体と、
地中埋設管を構成する外側管内に収容された複数の内側管を、それぞれ係合保持するため円筒状のスリーブ主体内に設けられるスリーブガイドと、
スリーブ主体内で前記内側管と接続されるケーブル保護管が挿入されるガイド部材とから構成され、
前記スリーブ主体の先端開口部には、拡径された前記外側管用のガイド部が形成され、  基端側には、前記外側管用および前記内側管とケーブル保護管用の位置決め機構が設けられていること
を特徴とする地中埋設管の施工用スリーブ。
【請求項１０】
前記外側管用位置決め機構は、
円筒状のスリーブ主体の一部を縮径させて形成した段差、又はその内周面に形成されたリング状の凸状による突状部であること
を特徴とする請求項９に記載の地中埋設管の施工用スリーブ。
【請求項１１】
前記内側管とケーブル保護管用の位置決め機構は、
スリーブ主体に設けられたスリーブガイド保持部又はスリーブ主体に一体化されたスリーブガイド自体に形成されていること
を特徴とする請求項９に記載の地中埋設管の施工用スリーブ。
【発明の詳細な説明】
【０００１】
【発明の属する技術分野】
この発明は、地中に埋設される電力ケーブル、電話線、ＣＡＴＶ用ケーブルや有線放送用ケーブルなどの重要な電力通信線を、保形性の高い外側管と、この外側管の内部に配置された複数の内側管とで二重に保護して埋設配線するために用いられる地中埋設管の施工法と、この施工法に使用する施工用ダクトスリーブに関するもので、電力・通信配線技術に属するものである。
【０００２】
【従来の技術】
道路の景観を高め、円滑な道路交通を確保するために、電力ケーブル、電話線などの電力通信線は、地中に埋設することが主体となってきているが、なかでも電話線、ＣＡＴＶ用ケーブルや有線放送用ケーブルなどの通信系ケーブルを一般の需要家である店舗や住居へ供給する方法としては、例えば、通信系ケーブルの収められた地下溝に沿ってほぼ４０〜５０ｍの間隔で配設されたマンホールやハンドホールを利用し、配線しようとする店舗や住居に最も近いハンドホールで通信系ケーブルを分岐し、分岐させたケーブルを店舗や住居まで配線するという方法が一般的に多く採用されている。
【０００３】
しかしながら、ハンドホールを利用する方法は、ハンドホール自身が直径や一辺が１０００ｍｍ以上、通常１２００〜１６００ｍｍというきわめて大きなものであるため、分岐作業が容易であるという利点を有する反面、その設置はスペースの面や経費の面から制限を受ける。
【０００４】
特に、ハンドホールは、地下溝に沿ってほぼ４０〜５０ｍ間隔で設けられているのが普通であるため、通信系ケーブルの引き込みを必要とする店舗や住居がマンホールやハンドホールの近くにあれば、通信系ケーブルなどからケーブルを分岐させることは比較的容易であるが、マンホールやハンドホールから離れている店舗や住居に通信系ケーブルからケーブルを分岐させて引き込むには、かなりの距離にわたって地面を掘り起こさなければならず、ケーブルの分岐乃至引き込みの施工にかなりの工期と経費を必要とするという問題があった。
【０００５】
この問題を解決するため、発明者らは、特願２００１−１３４０６５号において、地中に埋設された電力通信線から任意のケーブルを店舗や住居に引き込むに際し、マンホ−ルやハンドホールの配設距離より短い間隔で配置され、引き込み工事の工期を短縮するとともに、施工を容易にすることのできる電力通信線の分岐用ます（以下、マンホールやハンドホールを含め、これらを総称して「特殊部」という。 ）と、この分岐用ますを用いた分岐方法を提案した。
【０００６】
【発明が解決しようとする課題】
それらの方法に基づいて、電力通信線などを二重に保護する構成の地中埋設管の埋設施工に際しては、ハンドホール位置や構造、需要家の店舗や住居、さらには地中の構造、既設の設備の関係から、地中埋設管の長さの調整や、各内側管の分散配設や、さらには、地中で障害物を避けるための地中埋設管の変形加工などが必要になることがあるが、現状の内側管と外側管からなる地中埋設管や施工法では対処が困難な場合がある。
【０００７】
前記のような問題を解決するため、例えば、特開２０００−３５８３１８号公報においては、二重構造の地中埋設管によるケーブルの保護を止め、内側管のみを配線し保護することが行なわれているが、電力通信線などを二重に保護する構成の地中埋設管も使用することができ、しかもより作業性が良く、気密性が良い施工方法が要望されているのが現状である。
【０００８】
そこで、発明者らは、外側管と内側管とからなる二重保護構造の地中埋設管の埋設施工から内側管のみからなる保護管の埋設施工への変更、又はその逆の変更を、気密性の高い状態で、作業性よく行なえる地中埋設管の施工法を提供すべく検討した。
その結果、先端開口部に拡径されたガイド部を形成するとともに、基端側に位置決め機構を設けた円筒状のスリーブ主体内に、地中埋設管を構成する外側管内に収容された複数の内側管を位置決めして、各係合保持することのできるスリーブガイドを有する施工用スリーブを用いることによって、前記目的を達成することができることを見出し、この発明を完成させたものである。
【０００９】
【課題を解決するための手段】
すなわち、この発明の請求項１に記載の発明は、
先端開口部に拡径された地中埋設管を構成する外側管用のガイド部を形成するとともに、基端側に位置決め機構を設けた円筒状のスリーブ主体内に、前記外側管内に収容された複数の内側管をそれぞれ係合保持するためのスリーブガイドを設けた施工用スリーブを使用するものであって、
前記各内側管は、その先端部を、前記スリーブガイドを貫通させて他端側に引き出し、
引き出した各内側管の先端部にストッパリングを装着したのち、
各内側管をスリーブガイド内に引き戻し、
前記ストッパリングをスリーブ主体に設けられたスリーブガイド保持部又はスリーブガイド自体に形成した位置決め機構に当接させ、スリーブガイドの他端側に所要の幅の空間部を形成し、
前記外側管は、先端部近傍の外周部にシール材を外装させたのち、スリーブ主体内に挿入させ、その先端部をスリーブ主体に形成した位置決め機構に当接させたのち位置調整を行い、
前記空間部には、先端部近傍の外周部にシール材を装着したケーブル保護管を挿入固定すること
を特徴とする地中埋設管の施工法である。
【００１０】
また、この発明の請求項２に記載の発明は、
請求項１に記載の地中埋設管の施工法において、
前記空間部へのケーブル保護管の挿入は、
前記空間部が形成されたスリーブガイドの開口部に、ケーブル保護管を挿入するためのガイド部材を装着し、しかるのち、先端部近傍の外周部にシール材を装着したケーブル保護管を挿入すること
を特徴とするものである。
【００１１】
また、この発明の請求項３に記載の発明は、
請求項１に記載の地中埋設管の施工法において、
前記地中埋設管を構成する外側管及び内側管は、
いずれも合成樹脂製であって、その外周部に螺旋状又は環状の凸部を有する波型管であること
を特徴とするものである。
【００１２】
また、この発明の請求項４に記載の発明は、
請求項１又は３に記載の地中埋設管の施工法において、
前記内装管は、
その先端部を、前記スリーブガイドに挿通させる前、又は挿通させて他端側に引き出した後に、先端部近傍の外周部にシール材を装着すること
を特徴とするものである。
【００１３】
また、この発明の請求項５に記載の発明は、
請求項１に記載の地中埋設管の施工法において、
前記スリーブ主体は、
その内周部に配置するスリーブガイドを一体的に形成したもので、スリーブガイドの基端側には、その一部を縮径させて形成した段差、又はその内周面に形成されたリング状の突条部からなる位置決め機構を有し、他端開口部を外側に拡径させたものであること
を特徴とするものである。
【００１４】
また、この発明の請求項６に記載の発明は、
請求項１に記載の地中埋設管の施工法において、
前記ストッパリングは、
合成樹脂又は金属製で、側面視Ｃ字状であること
を特徴とするものである。
【００１５】
また、この発明の請求項７に記載の発明は、
請求項１に記載の地中埋設管の施工法において、
前記シール材は、
外周面を異形としたゴムリング、又はゴムもしくは合成樹脂製のＯリングであること
を特徴とするものである。
【００１６】
また、この発明の請求項８に記載の発明は、
請求項１に記載の発明において、
前記ケーブル保護管は、
前記内側管と同質もしくは異質のものであること
を特徴とするものである。
【００１７】
さらに、この発明の請求項９に記載の発明は、
円筒状のスリーブ主体と、
地中埋設管を構成する外側管内に収容された複数の内側管を、それぞれ係合保持するため円筒状のスリーブ主体内に設けられるスリーブガイドと、
スリーブ主体内で前記内側管と接続されるケーブル保護管を挿入するためのガイド部材とから構成され、
前記スリーブ主体の先端開口部には、拡径された前記外側管用のガイド部が形成され、  基端側には、前記外側管用および前記内側管とケーブル保護管用の位置決め機構が設けられていること
を特徴とする地中埋設管の施工用スリーブである。
【００１８】
さらにまた、この発明の請求項１０に記載の発明は、
請求項９に記載の地中埋設管の施工用スリーブにおいて、
前記外側管用位置決め機構は、
円筒状のスリーブ主体の一部を縮径させて形成した段差、又はその内周面に形成されたリング状の凸状による突状部であること
を特徴とするものである。
【００１９】
また、この発明の請求項１１に記載の発明は、
請求項９に記載の地中埋設管の施工用スリーブにおいて、
内側管とケーブル保護管用の位置決め機構は、
スリーブ主体に設けられたスリーブガイド保持部又はスリーブ主体に一体化されたスリーブガイド自体に形成されていること
を特徴とするものである。
【００２０】
【発明の実施の形態】
以下、この発明の地中埋設管の施工法及び施工用スリーブを図面に基づいて詳細に説明するが、図面に示されたものは、この発明の一実施の形態であって、図面に示された施工用スリーブの形状、操作手順に特定されない。
【００２１】
図１は、この発明の地中埋設管の施工用スリーブを用い、外側管と内側管とからなる地中埋設管の埋設施工から、前記内側管と同質又は異質のケーブル保護管のみを埋設施工する場合、さらにはその逆の変更を、作業性よく、気密性のよい状態で行うことのできる地中埋設管の施工法における、施工用スリーブ内における地中埋設管の接続状態を示す概略説明図である。
【００２２】
施工用スリーブ１は、所要の径を有する円筒状のスリーブ主体２を合成樹脂で形成し、一方の開口部を外側に拡径させてガイド部３を形成し、かつ他端の開口部の近傍に、スリーブ主体２を内側に縮径させて形成する段差又は内周面に形成する凸条などによる位置決め機構４が付設されるとともに、スリーブ主体２内にケーブル線を直接収容する複数の内側管６の各先端部を保持するために、所要の径と長さを有する円筒状のスリーブガイド５，５・・・・を所要の配置形状で配設固定したものである。
【００２３】
このスリーブ主体２内に配設固定される前記各スリーブガイド５は、図２で明らかなように、スリーブ主体２と同様に一方の開口部を外側に拡径させてガイド部５ａを形成し、かつ他端の開口部の近傍に、スリーブ主体２に設けられた円筒状のスリーブガイド保持部５ｄを縮径させて形成する段差又は内周面に形成する凸条などによる位置決め機構５ｂを有するものである。
この位置決め機構５ｂは、施工に際して内側管６をスリーブ主体２外に一旦突出させる必要性があるので、その内径部は内側管６の外径とほぼ等しくするか、若干大きめになるよう形成したものである。
【００２４】
その際、スリーブ主体２内への複数のスリーブガイド５の固定は、図１に示すように、スリーブ主体２の他端の開口部に円板状の配設板５ｃを設け、この配設板５ｃの内側に各スリーブガイド５の他端部を受入れる保持するためのスリーブガイド保持部５ｄを形成し、このスリーブガイド保持部５ｄの内側にリング状の凸部を形成して前記位置決め機構５ｂを設けて行っている。
このスリーブガイド５は、それ自体が一方の開口部にガイド部５ａを有し、他端の開口部の近傍に位置決め機構５ｂを有するものであれば、スリーブ主体２とスリーブガイド５を一体成型したものであってもよい。
【００２５】
なお、図中、７は外周部に環状の凸部を有し、内面が平滑である合成樹脂製の波型管からなる外側管で、その内部に収容する前記内側管６の複数とで地中埋設管を構成するものであって、先端部近傍の外周部には、ゴムリングなどからなるシール材８が外装され、スリーブ主体２に保持されるものである。
【００２６】
前記内側管６も、外側管７と同様に外周部に環状の凸部を有する合成樹脂製の波型管で形成されたもので、スリーブ主体２内に配置固定されたスリーブガイド５内に内挿され、先端部に装着されるストッパリング９と位置決め機構５ｂにより位置決めされるとともに、先端部近傍の外周部に装着されたゴムリングなどからなるシール材１０によりシールされ、また固定されるものである。
【００２７】
また、図１において、１１は内側管６と同質又は異質のケーブル保護管、１２は前記ケーブル保護管１１をスリーブ主体２に装着する際に使用する円筒状のガイド部材で、一端開口部１２ａは前記ケーブル保護管１１を受入れ易くするため外側に拡径されたもので、内側管６は通常ポリエチレンなどを用いた可撓性のあるものであるが、ケーブル保護管１２は、外側管による保護がないので、ポリプロピレン、塩ビなどを用い剛性の高いものとするのが望ましい。
【００２８】
以下、前記の施工用スリーブ１を使用して、地中埋設管を構成する一方の内側管６に別途製作されたケーブル保護管１１を接続する手順の一例を説明する。
まず、地中埋設管を構成する外側管７から必要とする内側管６，６の先端部を引き出したのち、先端部にシール材８を外装した外側管７をスリーブ主体２に挿入するとともに、各内側管６の先端部をスリーブ主体２内に配設固定されたスリーブガイド５内に挿入し、その先端部を所要の長さだけ他端側からスリーブ主体２外に引き出す。
この時、外側管７の先端はスリーブ主体２の位置決め機構４に当接している。（図２〜図３参照）
【００２９】
ついで、引き出した各内側管６の先端部近傍の外周部にシール材１０を外装するとともに、先端部にＣ字状に形成されたストッパリング９を装填する。
その後、各内側管６の他端側を引っ張って、もしくは施工用スリーブ１を引張って各先端部をスリーブ主体２内に引き戻すと、内側管６に装着されたシール材１０はスリーブガイド５またはその先端に接するように形成された突条部からなる位置決め機構５ｂを乗り越えて内側に移動する。
その際、先端部に外装したストッパリング９は位置決め機構５ｂと当接し、内側への移動が阻止され、各内側管６はその位置に固定される。（図４参照）
この時、外側管７は所定位置に位置決めされ、温度変化による外側管７の伸縮に追随することができる。
また、シール材１０が前記位置決め機構５ｂを乗り越え易いように、位置決め機構５ｂの形状は、間欠的な突条や傾斜面を有する段差にするのが望ましい。
【００３０】
その際、図４に示すように、内側管６の先端部とスリーブガイド５の基端開口縁との間に、前記ケーブル保護管１１の一端部を挿入保持するに十分な空間部Ａが形成されるよう、スリーブガイド５又はその先端に接するように形成する位置決め機構５ｂの形成位置を設定することが肝要である。
【００３１】
かくして内側管６の先端部とスリーブガイド５の基端開口縁との間に、前記ケーブル保護管１１の一端部を挿入保持するに十分な空間部Ａが形成されると、この空間部Ａ内に別途製作したケーブル保護管１１の一端部を挿入し、ケーブル保護管１１をスリーブ主体２に接続保持させるものである。
【００３２】
前記ケーブル保護管１１のスリーブ主体２への接続に際しては、一端開口部を外側に拡径させてガイド部１２ａを形成したガイド部材１２の基端部を、前記空間部Ａ内に装着保持させたのち、このガイド部材１２の一端開口部から前記ケーブル保護管１１の一端部を挿入することが作業性向上、さらにはシールによる気密性、接着部の強度の観点から望ましい。
また、ガイド部材１２は内側管６の伸長を防止する固定具の役割を果たすものである。
【００３３】
なお、前記のストッパリング９は、内側管６の位置を固定する以外に、温度変化やケーブル引き込みによる内部管６の収縮を防止する機能も有するもので、側面視Ｃ字状のものが好ましい。
【００３４】
図６は、この発明の地中埋設管の施工方法により、地中で障害物を避けるために外側管と内側管からなる二重保護構造の、地中埋設管の外側管と内側管の二重保護の埋設施工から内側管のみからなる保護管の埋設施工への変更、さらにはその逆の変更施工を示す概念図である。
図中、１４は、地中埋設管の埋設施工に際して、既存の配管や岩盤などからなる障害物で、地中埋設管を迂回施工しなければならない原因物である。
【００３５】
前記障害物１４の手前まで配設された外側管７と、内側管６の二重保護構造の地中埋設管は、この発明の地中埋設管の施工用スリーブ１に接続され、可撓性を有するケーブル保護管１１のみが接続延長され、このケーブル保護管１１の可撓性を利用して、障害物１４を回避して配設される。
【００３６】
図６においては、障害物１４を回避したケーブル保護管１１は直接、ハンドホール１３に接続されているが、ハンドホール１３の代わりに地中埋設管の施工用スリーブ１を使用し、施工用スリーブ１から施工用スリーブ１に内側管６を配設することも当然に可能であり、状況に応じ、それらは選択されるものである。
【００３７】
【発明の効果】
この発明によれば、電力ケーブル、電話線、ＣＡＴＶ用ケーブルや有線放送用ケーブルなどの重要な電力通信線を、保形性の高い外側管とこの外側管の内部に配置された複数の内側管とで二重に保護した上で埋設配線することが、作業性よく、かつ気密性の高い状態で行なうことができる。
【００３８】
すなわち、この発明の地中埋設管の施工用スリーブを用いることにより、地中埋設管の施工に際し、地中埋設管の長さの調整や、各内側管の分散配設や、さらには地中に存在する障害物を避けるため、地中埋設管の変形加工が必要な場合、それらへの対処が容易で、外側管と内側管の二重保護の埋設施工からケーブル保護管のみの埋設施工への変更、さらにはその逆の変更を、作業性よく、かつ気密性の高い状態で行なえるものである。
【００３９】
また、この発明の地中埋設管の施工用スリーブは、先端開口部に拡径されたガイド部を形成するとともに、基端側に位置決め機構を設けた円筒状のスリーブ主体内に、地中埋設管を構成する外側管内に収容された複数の内側管をそれぞれ係合保持するためのスリーブガイドを設けたので、前記した地中埋設管の長さの調整や、各内側管の分散配設や、さらには地中に存在する障害物を避けるため、地中埋設管の変形加工が必要な場合、それらへの対処が容易で、外側管と内側管の二重保護の埋設施工からケーブル保護管のみの埋設施工への変更、さらにはその逆の変更を、作業性よく、かつ気密性の高い状態で行なえる。
【図面の簡単な説明】
【図１】  この発明の地中埋設管の施工方法で、外側管と内側管の二重保護の埋設施工からケーブル保護のみの埋設施工の状態変化を示す概略説明である。
【図２】  この発明に係る施工用スリーブと地中埋設管との関係を示す説明図である。
【図３】  施工用スリーブに地中埋設管を挿入した状態を示す説明図である。
【図４】  施工用スリーブに地中埋設管を固定させた状態を示す説明図である。
【図５】  施工用スリーブにガイド部材を接続した状態を示す説明図である。
【図６】  この発明による地中埋設管の施工状態を示す説明図である。
【符号の説明】
１     施工用スリーブ
２     スリーブ主体
３     スリーブ主体のガイド部
４     スリーブ主体の位置決め機構
５     スリーブガイド
６     内側管
７     外側管
８     シール材
９     ストッパリング
１０   シール材
１１   ケーブル保護管
１２   ガイド部材
【図１】
0003951215.tif 000002
【図２】
0003951215.tif 000003
【図３】
0003951215.tif 000004
【図４】
0003951215.tif 000005
【図５】
0003951215.tif 000006
【図６】
0003951215.tif 000007